(57)【要約】【課題】シャープペンシル本体を把持しているユーザーにおいて、筆記による把持状態から持ち換えをせずに、芯の前進を実現し得るような構成による改良型ノック式シャープペンシルの構成を提供すること。【解決手段】ノック式シャープペンシルにおいて、外側筒状部６を所定の間隔を以って前側部分６１と後側部分６２とに二分し、該後側部分６２が押圧部７と一体成形又は固着状態としたうえで、外側筒状部の後側部分６２を、芯タンク５と直接又は間接的に接合した状態にて移動自在とし、かつ該後側部分６２の後端側に芯タンク５を挿脱可能とする孔１３を設けるか、又は該後側部分６２を芯タンク５に対し着脱自在としたことに基づき、該後側部分６２を押圧部７と兼用した状態とすることによって、筆記による把持状態にて該後側部分６２を前進させることによって、芯１の前進をも実現することが可能である改良型ノック式シャープペンシル。【選択図】          図３
2004237477.tif 000002
【特許請求の範囲】
【請求項１】
芯を押圧把持し、かつ芯と一体となって移動し、前側への移動に伴って周囲の締めリングによる締め付けから解放された段階にて、芯に対する前記押圧把持を解放する芯咬止チャック、該芯咬止チャックに対し押圧部による前方への移動を伝達し、かつ芯咬止用バネによる後方への移動を芯タンクに伝達する継ぎ手を具備しているノック式シャープペンシルにおいて、外側筒状部を所定の間隔を以って前側部分と後側部分とに二分し、該後側部分が押圧部と一体成形又は固着状態としたうえで、外側筒状部の後側部分を、芯タンクと直接又は間接的に接合した状態にて移動自在とし、かつ該後側部分の後端側に芯タンクを挿脱可能とする孔を設けるか、又は該後側部分を芯タンクに対し着脱自在としたことに基づく改良型ノック式シャープペンシル。
【請求項２】
前側部分及び後側部分にそれぞれシャープペンシルを把持した手指を相互に接近させた際、当該手指に対する滑り止めを設けたことを特徴とする請求項１記載の改良型ノック式シャープペンシル。
【請求項３】
滑り止めとして、前側部分の後端付近において順次後側に向けて隆起した形状とし、後側部分の前端付近において前側に向けて順次隆起した形状としたことを特徴とする請求項２記載の改良型ノック式シャープペンシル。
【請求項４】
滑り止めとして、前側部分及び後側部分にてそれぞれ手指によって把持される部位に、粘着性素材を貼着したことを特徴とする請求項２記載の改良型ノック式シャープペンシル。
【請求項５】
滑り止めとして、前側部分及び後側部分において、それぞれ手指によって把持される部位の表面を凹凸状態としたことを特徴とする請求項２記載の改良型ノック式シャープペンシル。
【請求項６】
外側筒状部の内側と芯タンクの外側とが相互に螺合し、かつ芯タンクに対し該後側部分を着脱自在としたことを特徴とする請求項１、２記載の改良型ノック式シャープペンシル。
【請求項７】
外側筒状部に該芯タンクの外側と螺合し、かつ前部において外側方向に突出する鍔を有している位置決めパイプを設け、外側筒状部の後側部分の後端側から位置決めパイプの外側周囲に位置するように、弾性素材からなる突出パイプを前側に突出させ、内側に突出する突出パイプの突起と、位置決めパイプの外側表面に設けた凹部とが着脱自在に嵌合していることを特徴とする請求項１、２記載の改良型ノック式シャープペンシル。
【発明の詳細な説明】
【０００１】
【発明の属する技術分野】
本発明は、所謂ノック式シャープペンシルの改良に関するものである。
【０００２】
【従来の技術】
従来の技術によるノック式シャープペンシルにおいては、図５に示すように、外側筒状部６と独立した構成であり、かつ独立した作動を行う押圧部（ノック）７を外側筒状部６の後端側に設け、芯１を前方に移動させる場合には、手指を押圧部（ノック）７に当て、押圧部７を押圧（ノック）することによって、
押圧部７→芯タンク５→継ぎ手４→芯咬止チャック２→芯１
という順序にて前記押圧力が伝達され、逆に芯１の前進した状態を維持した状態にて、芯咬止チャック２、継ぎ手４、押圧部７の後方への移動は、シャープペンシル本体内に設けた芯咬止用バネ１２によって実現されており、かつ上記後方への移動を開始してから途中の段階において締めリング３の芯咬止チャック２に対する締め付けが行われ、芯１に対する咬止が行われている（芯１は、当該締め付けによって芯咬止チャック２と共に後退するが、途中から後退するため、前進した距離と途中から後退した距離との差の分だけ前進した状態が維持されることになる。）。
【０００３】
しかしながら、従来のノック式シャープペンシルにおいては、ユーザーが筆記を行わずに把持している状態と、押圧部を後端から押圧するために把持している状態とは明らかに相違しており、このため、ユーザーは筆記の状態から押圧を行う状態に転換するためには、シャープペンシル本体を持ち換えるという動作を必然的に余儀なくされていた。
【０００４】
換言するならば、従来の構成によるノック式シャープペンシルにおいては、ユーザーが筆記用のために把持した状態にて、押圧部を前方に押圧し、前記順序にて、継ぎ手、芯咬止チャック、芯の順序において押圧力を伝達し、かつ芯を前方に移動させることは、できなかった。
【０００５】
【発明が解決しようとする課題】
本発明は、前記のような従来技術を克服し、ユーザーがシャープペンシル本体を筆記用のために把持した状態にて、芯を前方に移動させることが可能とするような改良型ノック式シャープペンシルの構成を提供することを課題とするものである。
【０００６】
【課題を解決するための手段】
前記課題を解決するため、本発明の構成は、芯を押圧把持し、かつ芯と一体となって移動し、前側への移動に伴って周囲の締めリングによる締め付けから解放された段階にて、芯に対する前記押圧把持を解放する芯咬止チャック、該芯咬止チャックに対し押圧部による前方への移動を伝達し、かつ芯咬止用バネによる後方への移動を芯タンクに伝達する継ぎ手を具備しているノック式シャープペンシルにおいて、外側筒状部を所定の間隔を以って前側部分と後側部分とに二分し、該後側部分が押圧部と一体成形又は固着状態としたうえで、外側筒状部の後側部分を、芯タンクと直接又は間接的に接合した状態にて移動自在とし、かつ該後側部分の後端側に芯タンクを挿脱可能とする孔を設けるか、又は該後側部分を芯タンクに対し着脱自在としたことに基づく改良型ノック式シャープペンシルからなる。
【０００７】
【発明の実施の形態】
図３は、本発明の基本的な構成による実施形態を示しているが、本発明においては、外側筒状部６を前側部分６１と後側部分６２とに所定の間隔を以って二分しており、押圧部７と後側部分６２とを一体成形するか、又は固着状態としている（但し、図３においては、該後側部分６２は後端に至るまで同一の素材による一体成形の場合を示している。）。
【０００８】
該後側部分６２を該前側部分６１から所定の間隔を以って分離し、かつ後側部分６２と押圧部７とを一体成形又は固着状態としたうえで、該後側部分６２を芯タンク５と直接又は間接的に接合させることによって、該後側部分６２は、押圧部７として移動することが可能となる。
【０００９】
即ち、本発明においては、図５に示す従前の押圧部７が外側筒状部の後側部分６２となって延長した状態となっており、これによってユーザーは、筆記を行うために、外側筒状部の前側部分６１と後側部分６２とを把持しながら、後側部分６２を前方に移動させた場合には、
押圧部７を兼用している後側部分６２→芯タンク５→継ぎ手４→芯咬止チャック２→芯１
の順序にて前記前方向に移動する力が伝達され、芯１は前方に移動することができる。
【００１０】
上記のような前方への移動を実現した後、前方へ移動させる把持状態を解放することによって、従来技術の場合と同じように、芯咬止用バネ１２を介して咬止チャック２、継ぎ手４、芯タンク５を後方に移動することができる（尚、後退の途中段階において締めリング３が芯咬止チャック２を締め付けて、芯１に対する咬止及び芯１の部分的な前進が実現し得る点もまた従来技術の場合と同様である。）。
【００１１】
ユーザーが外側筒状部の前側部分６１と後側部分６２とを手指によって把持した状態にて相対的に当該後側部分６２を前方に移動させるためには、当該各把持部分において滑り止めを有していることが好適であり、大抵の実施形態は当該滑り止めを採用している。
【００１２】
このような滑り止めの実施形態としては、
図４（ａ）に示すように、前側部分６１の後端付近において順次後側に向けて隆起した形状とし、後側部分６２の前端付近において前側に向けて順次隆起した形状としたことによる形態、
図４（ｂ）に示すように、前側部分６１及び後側部分６２において、それぞれ手指によって把持される部位に粘着性素材を貼着したことによる形態、
図４（ｃ）に示すように、前側部分６１及び後側部分６２において、それぞれ手指によって把持される部位の表面を凹凸状態としたことによる形態、
を採用することができる。
【００１３】
このように、滑り止めを設けた実施態様においては、ユーザーは、筆記を行う状態にて把持しながら、確実に外側筒状部の後側部分６２を相対的に前進させ、ひいては、芯１の前方への移動を実現することができる。
【００１４】
本発明においても、従来技術の場合と同様に、芯タンク５を外側筒状部６から取り外して芯１の芯入れを行うことが必要である。
【００１５】
このため本発明においては、後側部分６２の後端部に芯タンク５を挿脱するための孔１３を設けるか、又は該後側部分６２を芯タンク５との関係において着脱自在とする設計が採用されている（尚、図３は、前記孔１３を設けた着脱自在とする設計を示しており、後述する実施例においては、芯タンク５との螺合による設計を示している。）。
【００１６】
このように、本発明においては、従来技術のように、ノックを前進させるためにシャープペンシル本体を持ち換えずに、筆記のために把持した状態にて芯１の前後方向の位置を調節することができるので筆記における作業効率を向上させることが可能となる（但し、従来技術と同じように、持ち換えてノックに該当する部分を押圧する使用形態もまた当然可能である。）。
【００１７】
以下実施例に即して説明する。
【００１８】
【実施例１】
実施例１は、図１に示すように、外側筒状部６の内側と芯タンク５の外側とが相互に螺合し、かつ芯タンク５に対し該後側部分６２を着脱自在としたことを特徴としている。
【００１９】
このような実施例１においては、芯タンク５と該後側部分６２との前後方向の位置を調整することによって、外側筒状部の後側部分６２の先端部が外側筒状部の前側部分６１の後端部に当接するに至るまで移動し得る距離を調整し、ひいては芯１を前進させる移動距離単位を任意に選択することができる。
【００２０】
なお、実施例１において、芯タンク５に芯１を挿入するためには、前記螺合を利用して該後側部分６２を芯タンク５から取り外すことになる。
【００２１】
【実施例２】
実施例２は、図２に示すように、外側筒状部６に該芯タンク５の外側と螺合し、かつ前部において外側方向に突出する鍔を有している位置決めパイプ１０を設け、外側筒状部の後側部分６２の後端側から位置決めパイプ１０の外側周囲に位置するように、弾性素材からなる突出パイプ１１を前側に突出させ、内側に突出する突出パイプの突起１１１と、位置決めパイプ１０の外側表面に設けた凹部１０１とが着脱自在に嵌合していることを特徴としている。
【００２２】
実施例２においては、外側筒状部の後側部分６２及び該後側部分の後端における押圧部７は、前記突出パイプ１１の凸部及び位置決めパイプの凹部１０１との嵌合、及び芯タンクの外側におけるネジ部５２と位置決めパイプ１０の内側におけるネジ部との螺合を介して、実施例１の場合と同様に芯タンク５と該後側部分６２との前後方向の距離を調整し、ひいては、芯１を前進させる移動距離単位を任意に選択することができる。
【００２３】
しかのみならず、実施例２においては、突出パイプ１１が弾性を有する素材によって形成されているため、前記突起と位置決めパイプの凹部１０１との嵌合が着脱自在であることを利用し、前記嵌合を取り外すことによって、該後側部分６２を芯タンク５から取り外した状態を実現することができる。
【００２４】
即ち、該後側部分６２を芯タンク５から取り外すために、実施例１の場合のように、芯タンク５の外側部分との螺合を外すような作業は不要である。
【００２５】
【発明の効果】
以上のような本発明においては、ユーザーは、筆記を行うために外側筒状部の前側部分及び後側部分の双方を把持した状態にて、該後側部分を相対的に前側に移動させることによって、芯を先端に突出することが可能となる。
【００２６】
しかも、前記実施例１、同２の場合には、芯タンクの外側におけるネジ部との螺合を介して、前記突出距離をも調整することが可能となる。
【００２７】
このように、本願発明は比較的簡単な構成でありながら、シャープペンシル本体に対する持ち換えを不要とし、筆記効率を向上させることができるので、その価値は絶大である。
【図面の簡単な説明】
【図１】実施例１の構成を示す側断面図である。
【図２】実施例２の構成を示す側断面図である。
【図３】本発明の基本構成を示す側断面図である。
【図４】外側筒状部における手指との滑り止めの側面図であり、（ａ）は外側筒状部の前側部分、外側筒状部の後側部分に各隆起部を設けた構成を示しており、（ｂ）は、粘着性素材を巻着した状態を示しており、（ｃ）は凹凸部を設けた構成を示している。
【図５】従来技術によるノック式シャープペンシルの構成を示す側断面図である。
【符号の説明】
１  芯
２  芯咬止チャック
３  締めリング
４  継ぎ手
５  芯タンク
５２  芯タンクの外側に設けたネジ部
６  外側筒状部
６１  外側筒状部の前側部分
６２  外側筒状部の後側部分
６２１  外側筒状部の後側部分の内側に設けたネジ部
７  押圧部（ノック）
８  口金
９  ガイドパイプ
１０  位置決めパイプ
１０１  位置決めパイプの凹部
１１  突出パイプ
１１１  突出パイプの突起
１２  芯咬止用バネ
１３  後端における孔
【図１】
2004237477.tif 000003
【図２】
2004237477.tif 000004
【図３】
2004237477.tif 000005
【図４】
2004237477.tif 000006
【図５】
2004237477.tif 000007